(57)【要約】【課題】文字表現を感覚的かつ容易に変更できる携帯端末及び携帯端末における文字列表現変更方法を提供する。【解決手段】携帯端末１では、タッチパネル５に表示された文字列上で予め設定された接触動作が検知された場合に、文字列の表現が変更される。例えば、タッチパネル５に表示された文字列上で円を描く接触動作が検知された場合に、文字列の大きさが接触動作の動作距離に応じて変更される。これにより、ユーザは、タッチパネル５に表示された文字列付近から視線をそらすことなく、文字列上で予め設定された接触動作を行うだけで、感覚的かつ容易に文字列の表現を変更することができる。【選択図】図１
2011209932.tif 000002
【特許請求の範囲】
【請求項１】
タッチパネルを備えた携帯端末であって、
前記タッチパネルへの接触動作を検知する接触検知手段と、
前記接触検知手段による接触動作の検知に基づいて前記タッチパネルの表示を制御する表示制御手段と、
を備え、
前記表示制御手段は、
前記接触検知手段によって前記タッチパネルに表示された文字列上で予め設定された接触動作が検知された場合に、当該文字列の表現を変更する表現変更手段を有していることを特徴とする携帯端末。
【請求項２】
前記表現変更手段は、前記接触検知手段によって前記タッチパネルに表示された文字列上で、円を一方の向きへ描く接触動作が検知された場合に当該文字列の大きさを当該接触動作の動作距離に応じて大きくし、円を他方の向きへ描く接触動作が検知された場合に当該文字列の大きさを当該接触動作の動作距離に応じて小さくすることを特徴とする請求項１記載の携帯端末。
【請求項３】
前記表現変更手段は、当該文字列の先頭の文字から末尾の文字に向かって変更倍率を文字順に低下するように文字列の大きさを変更することを特徴とする請求項２記載の携帯端末。
【請求項４】
前記表現変更手段は、前記接触検知手段によって前記タッチパネルに表示された文字列上で、接触及び非接触の繰り返し動作が検知された場合に、当該文字列を点滅状態にし、点滅間隔は当該繰り返し動作の接触時間及び非接触時間に基づくことを特徴とする請求項１記載の携帯端末。
【請求項５】
タッチパネルを備えた携帯端末が、前記タッチパネルへの接触動作を検知する接触検知ステップと、
前記携帯端末が、前記接触検知ステップにおける接触動作の検知に基づいて前記タッチパネルの表示を制御する表示制御ステップと、
を含み、
前記表示制御ステップは、
前記接触検知ステップにおいて前記タッチパネルに表示された文字列上で予め設定された接触動作が検知された場合に、当該文字列の表現を変更する表現変更ステップを含んでいることを特徴とする文字列表現変更方法。
【発明の詳細な説明】
【技術分野】
【０００１】
本発明は、文字列表現を変更する携帯端末及び携帯端末における文字列表現変更方法に関する。
【背景技術】
【０００２】
特許文献１には、キーボードの押下圧力に応じて文字サイズやフォント種などの文字タイプを変更できる情報入力装置が開示されている。また、近年、一部の携帯端末にはタッチパネルが搭載され、ユーザの操作性が向上している。
【先行技術文献】
【特許文献】
【０００３】
【特許文献１】特開２００２−７０４２号公報
【発明の概要】
【発明が解決しようとする課題】
【０００４】
しかしながら、上述した情報入力装置を用いて例えば文字の大きさを変更する場合、ユーザは入力する文字とその文字の大きさとを同時に意識してキーボードを押す必要があり、ユーザは複雑な操作を行う必要がある。それゆえにユーザは文字の大きさを感覚的に変更することが難しいという問題があった。また、上述した情報入力装置は文字入力時に文字タイプを設定するものであり、入力済みの文字の文字タイプを変更することができないという問題もあった。
【０００５】
本発明は、上記課題の解決のためになされたものであり、文字表現を感覚的かつ容易に変更できる携帯端末及び携帯端末における文字列表現変更方法を提供することを目的とする。
【課題を解決するための手段】
【０００６】
上記課題の解決のため、本発明に係る携帯端末は、タッチパネルを備えた携帯端末であって、タッチパネルへの接触動作を検知する接触検知手段と、接触検知手段による接触動作の検知に基づいてタッチパネルの表示を制御する表示制御手段と、を備え、表示制御手段は、接触検知手段によってタッチパネルに表示された文字列上で予め設定された接触動作が検知された場合に、文字列の表現を変更する表現変更手段を有していることを特徴としている。
【０００７】
また、本発明に係る文字列表現変更方法は、タッチパネルを備えた携帯端末が、タッチパネルへの接触動作を検知する接触検知ステップと、携帯端末が、接触検知ステップにおける接触動作の検知に基づいてタッチパネルの表示を制御する表示制御ステップと、を含み、表示制御ステップは、接触検知ステップにおいてタッチパネルに表示された文字列上で予め設定された接触動作が検知された場合に、文字列の表現を変更する表現変更ステップを含んでいることを特徴としている。
【０００８】
この携帯端末では、タッチパネルに表示された文字列上で予め設定された接触動作が検知された場合に、文字列の表現が変更される。これにより、ユーザは、タッチパネルに表示された文字列付近から視線をそらすことなく、文字列上で予め設定された接触動作を行うだけで、感覚的かつ容易に文字列の表現を変更することができる。
【０００９】
また、表現変更手段は、接触検知手段によってタッチパネルに表示された文字列上で、円を一方の向きへ描く接触動作が検知された場合に文字列の大きさを接触動作の動作距離に応じて大きくし、円を他方の向きへ描く接触動作が検知された場合に文字列の大きさを接触動作の動作距離に応じて小さくすることを特徴としていることが好ましい。
【００１０】
この携帯端末では、タッチパネルに表示された文字列上で円を描く接触動作が検知された場合に、文字列の大きさが接触動作の動作距離に応じて変更される。これにより、ユーザは、タッチパネルに表示された文字列付近から視線をそらすことなく、文字列上で円を描く接触動作を行うだけで、感覚的かつ容易に文字列の大きさを変更することができる。
【００１１】
また、表現変更手段は、文字列の先頭の文字から末尾の文字に向かって変更倍率を文字順に低下するように文字列の大きさを変更することを特徴としていることが好ましい。
【００１２】
この携帯端末では、文字列の先頭の文字から末尾の文字に向かって変更倍率が文字順に低下するように文字列の大きさを変更する。これにより、ユーザは、文字列を容易に表現力の高い文字列に変更することができる。
【００１３】
また、表現変更手段は、接触検知手段によってタッチパネルに表示された文字列上で、接触及び非接触の繰り返し動作が検知された場合に、文字列を点滅状態にし、点滅間隔は繰り返し動作の接触時間及び非接触時間に基づくことを特徴としていることが好ましい。
【００１４】
この携帯端末では、タッチパネルに表示された文字列上で接触及び非接触の繰り返し動作が検知された場合に、文字列を点滅状態にし、その点滅間隔は繰り返し動作の接触時間及び非接触時間に基づくものである。これにより、ユーザは、タッチパネルに表示された文字列付近から視線をそらすことなく、文字列上で接触及び非接触の繰り返し動作を行うだけで、感覚的かつ容易に文字列を点滅状態にし、かつその点滅間隔を感覚的かつ容易に設定することができる。
【発明の効果】
【００１５】
本発明によれば、文字表現を感覚的かつ容易に変更できる携帯端末及び携帯端末における文字列表現変更方法を提供することができる。
【図面の簡単な説明】
【００１６】
【図１】本発明の一実施形態に係る携帯端末の機能的な構成要素を示すブロック図である。
【図２】携帯端末１のハードウェア構成図である。
【図３】携帯端末１において、文字列を選択する際の表示画面の遷移の一例を示す図である。
【図４】携帯端末１において、文字列の大きさを変更する際の表示画面の一例を示す図である。
【図５】携帯端末１において、文字列を点滅状態に変更する際の表示画面の一例を示す図である。
【図６】携帯端末１の動作を示すフローチャート図である。
【発明を実施するための形態】
【００１７】
図１は、本発明に係る携帯端末の一実施形態を示す概要図である。携帯端末１は、図１に示すように、機能的な構成要素として、接触検知部２（接触検知手段）、表示制御部３（表示制御手段）、及び接触動作格納部４を備えている。表示制御部３はさらに、表現変更部３１（表現変更手段）を備えている。また、携帯端末１は、図１に示すように、物理的な構成要素の一つとしてタッチパネル５を備えている。
【００１８】
携帯端末１は、ＣＰＵ等のハードウェアから構成されているものである。図２は、携帯端末１のハードウェア構成図である。図１に示される携帯端末１は、物理的には、図２に示すように、ＣＰＵ５１、主記憶装置であるＲＡＭ５２及びＲＯＭ５３、入力デバイスである数字キー及びタッチパネル等の入力装置５４、ディスプレイ及びタッチパネル等の出力装置５５、ネットワークカード等のデータ送受信デバイスである通信モジュール５６、ハードディスク等の補助記憶装置５７等を含むコンピュータシステムとして構成されている。図１に示す各構成要素の機能は、図２に示すＣＰＵ５１、ＲＡＭ５２等のハードウェア上に所定のコンピュータソフトウェアを読み込ませることにより、ＣＰＵ５１の制御のもとで入力装置５４、出力装置５５、通信モジュール５６を動作させるとともに、ＲＡＭ５２や補助記憶装置５７におけるデータの読み出し及び書き込みを行うことで実現される。
【００１９】
以下、図１に示す構成要素に基づいて、携帯端末１の各構成要素を説明する。
【００２０】
タッチパネル５は、入出力の機能を兼ね備えた電子部品であり、不図示のタッチパネル制御部がタッチパネル５への入力や出力を制御する。タッチパネル５が受け付ける入力としては、指やタッチパネル用のペン等を利用したユーザによるタッチパネル５上の接触が挙げられる。また、タッチパネル５が行う出力としては、文字や画像等の視覚的なコンテンツをタッチパネル５上に表示させることが挙げられる。タッチパネル制御部は、受け付けた入力を接触検知部２に送信したり、表示制御部３から出力を受信したりする。
【００２１】
接触検知部２は、タッチパネル５への接触動作を検知する。接触動作は、タッチパネル５への接触、非接触、及び接触したままの接触位置の移動などを含む。
【００２２】
具体的には、ユーザがタッチパネル５上を接触した際に、接触検知部２は、その接触されたタッチパネル５上の位置を検知する。また、ユーザがタッチパネル５上を接触したまま接触位置を移動した際に、接触検知部２は、タッチパネル５上で移動している接触位置の各接触位置を検知すると共に、接触位置が移動中であることを検知する。また、ユーザがタッチパネル５上の同一の接触位置において接触及び非接触を繰り返した際に、接触検知部２は、その接触、非接触を検知すると共に、接触している状態の時間と非接触の状態の時間とを検知する。
【００２３】
接触動作格納部４は、設定された接触動作を格納する。接触動作の一例として、例えば、タッチパネル５上で１ｃｍ以上の線分を一方の端から他方の端までなぞる動作、タッチパネル５上で接触したまま円の円周上を右方向になぞる動作、タッチパネル５上で接触したまま円の円周上を左方向になぞる動作、及びタッチパネル５上での同一の接触位置における接触及び非接触の繰り返し動作などが挙げられる。なお、本実施形態では、上述の４つの設定された接触動作が既に接触動作格納部４に格納されているものとする。
【００２４】
接触検知部２は、タッチパネル５への接触動作を検知した際に、その接触動作が接触動作格納部４に格納されている接触動作と一致するか否かを判定し、その判定結果を表現変更部３１に送信する。
【００２５】
表示制御部３は、接触検知部２による接触位置の検知に基づいてタッチパネル５の表示を制御する。表示制御部３は、表現変更部３１を備えている。
【００２６】
表現変更部３１は、接触検知部２によってタッチパネル５に表示された文字列上で予め設定された接触動作が検知された場合に、文字列の表現を変更する。
【００２７】
以下、図３を用いて文字列の範囲の選択方法について説明する。図３（ａ）は、タッチパネル５に文字列「昨日の遠足楽しかったね」が表示された状態を示す図である。図３（ｂ）は、ユーザがタッチパネル５上に表示されている文字列「昨日の遠足楽しかったね」のうち、文字「楽」の上を通るように、文字列方向と略垂直な直線上を接触したまま移動した状態を示す。接触検知部２は、ユーザの接触動作を検知し、その接触動作が接触動作格納部４に格納されている、タッチパネル５上で１ｃｍ以上の線分を一方の端から他方の端までなぞる動作と一致すると判定し、その判定結果を表現変更部３１に送信する。
【００２８】
続いて、ユーザがタッチパネル５上に表示されている文字列「昨日の遠足楽しかったね」のうち、文字「ね」の上を通るように、文字列方向と略垂直な直線上を接触したまま移動した後の状態を図３（ｃ）に示す。接触検知部２は、ユーザの接触動作を検知し、その接触動作が接触動作格納部４に格納されている、タッチパネル５上で１ｃｍ以上の線分を一方の端から他方の端までなぞる動作と一致すると判定し、その判定結果を表現変更部３１に送信する。ここで、表現変更部３１は、接触検知部２から、タッチパネル５上で１ｃｍ以上の線分を一方の端から他方の端までなぞる動作と一致するという判定を２回連続で受信すると、それぞれの接触動作で接触した２つの文字間の文字列について、文字色と背景色を反転する。なお、接触した文字の情報について、表現変更部３１は、接触検知部２からそれぞれの判定結果を受信する際に同時に接触検知部２から受信する。この反転された文字列が、文字列の選択した範囲を示す。図３（ｃ）に示すとおり、表現変更部３１により、文字列「楽しかったね」が選択される。
【００２９】
表現変更部３１は、接触検知部２によってタッチパネル５に表示された文字列上で、円を一方の向きへ描く接触動作が検知された場合に文字列の大きさを接触動作の動作距離に応じて大きくし、円を他方の向きへ描く接触動作が検知された場合に文字列の大きさを接触動作の動作距離に応じて小さくする。また、表現変更部３１は、文字列の先頭の文字から末尾の文字に向かって変更倍率を文字順に低下するように文字列の大きさを変更する。
【００３０】
なお、描く円は正確な円でなくてもよい。例えば、表現変更部３１は、接触検知部２によってタッチパネル５に表示された文字列上で、螺旋を中心から外に向かって螺旋が大きくなるように描く接触動作が検知された場合に文字列の大きさを接触動作の動作距離に応じて大きくし、螺旋の中心の外側から中心に向かって螺旋が小さくなるように描く接触動作が検知された場合に文字列の大きさを接触動作の動作距離に応じて小さくしてもよい。
【００３１】
以下、図４を用いて文字列の大きさの変更方法について説明する。図４（ａ）は、図３（ｃ）の状態の文字列のうち、選択した文字列である「楽しかったね」の上で、ユーザがタッチパネル上を、円の円周上を右方向になぞる接触動作をした際の状態を示す図である。その際、接触検知部２がその接触動作を検知し、その接触動作が接触動作格納部４に格納されている、タッチパネル５上で接触したまま円の円周上を右方向になぞる動作と一致すると判定し、その判定結果を表現変更部３１に送信する。表現変更部３１は、その判定結果に基づき、選択した文字列の大きさを大きくする。
【００３２】
また、表現変更部３１は、その接触動作が継続している間、接触検知部２からその接触動作の動作距離を受信し、その動作距離に応じて選択した文字列の大きさを大きくする。さらに、表現変更部３１は、選択した文字列の先頭の文字「楽」から末尾の文字「ね」に向かって、変更倍率を文字順に低下するように文字列の大きさを変更する。その結果、「楽しかったね」という文字列は、各文字の頂部を通るようなラインを斜辺とする略直角三角形状を維持した状態で大きさが変更されることとなる。
【００３３】
図４（ａ）は、接触動作において円を右に２回転なぞった際に、直角三角形領域Ａの大きさに文字列「楽しかったね」が変更された状態を示す図である。このように、選択した文字列の先頭の文字「楽」から末尾の文字「ね」に向かって、文字の大きさの変更倍率が文字順に低下していることがわかる。例えば、直角三角形領域Ａの状態で、文字の大きさの変更前との比率は、「楽」が１６０％、「し」が１５０％、「か」が１４０％、「っ」が１３０％、「た」が１２０％、「ね」が１１０％である。
【００３４】
図４（ａ）の直角三角形領域Ｂは、接触動作において円を右に１回転なぞった際の文字列の大きさを示す。円を２回転だけなぞった際の直角三角形領域Ａは、円を１回転だけなぞった際の直角三角形領域Ｂよりも一回り大きい。このように、接触動作の動作距離に応じて選択した文字列の大きさが大きくなることがわかる。
【００３５】
図４（ｂ）は、図４（ａ）の状態から接触動作において円を左に１回転なぞった際に、直角三角形領域Ｂの大きさに文字列「楽しかったね」が変更された状態を示す図である。このように、円を左回転するようになぞると、文字列の文字の大きさは小さくなり、また、文字の大きさの変更倍率が文字順に低下する。
【００３６】
表現変更部３１は、接触検知部２によってタッチパネル５に表示された文字列上で、接触及び非接触の繰り返し動作が検知された場合に、文字列を点滅状態にする。そして表現変更部３１は、その点滅間隔を、繰り返し動作の接触時間及び非接触時間に基づいたものとする。
【００３７】
以下、図５を用いて文字列の点滅方法について説明する。図５（ａ）は、図３（ｃ）の状態の文字列のうち、選択した文字列である「楽しかったね」の上で、ユーザが接触及び非接触の繰り返し動作を行った際の状態を示した図である。例えば、ユーザが、タッチパネル５に表示された選択した文字列上の同一箇所で、あるリズムに従って断続的に３回、接触及び非接触の繰り返し動作を行ったとする。
【００３８】
その際、接触検知部２がその接触動作を検知し、その接触動作が接触動作格納部４に格納されている、タッチパネル５上での同一の接触位置における接触及び非接触の繰り返し動作と一致すると判定し、その判定結果を表現変更部３１に送信する。表現変更部３１は、その判定結果に基づき、選択した文字列を点滅状態にする。その点滅間隔は、上記のリズムに合わせて点滅を繰り返すような点滅間隔に、表現変更部３１により設定される。このように、点滅間隔は、繰り返し動作の接触時間及び非接触時間に基づいたものである。なお、接触時間及び非接触時間は接触検知部２が検知し、上述の判定結果を接触検知部２が表現変更部３１に送信する際に同時に接触時間及び非接触時間を送信している。
【００３９】
続いて、このように構成された携帯端末１の動作について説明する。図６は、携帯端末１の動作を示すフローチャートである。
【００４０】
まず、ユーザにより、タッチパネル５に表示された文字列のうち、文字の大きさを変更したい範囲の文字列が選択される（Ｓ１）。次に、接触検知部２が、円を描く接触動作を検知する（Ｓ２、接触検知ステップ）。次に、Ｓ２の接触動作に基づき、表現変更部３１が、選択した範囲の文字列の文字の大きさを変更する（Ｓ３、表示制御ステップ、表現変更ステップ）。
【００４１】
以上説明したように、携帯端末１では、タッチパネル５に表示された文字列上で予め設定された接触動作が検知された場合に、文字列の表現が変更される。これにより、ユーザは、タッチパネル５に表示された文字列付近から視線をそらすことなく、文字列上で予め設定された接触動作を行うだけで、感覚的かつ容易に文字列の表現を変更することができる。
【００４２】
また、携帯端末１では、タッチパネル５に表示された文字列上で円を描く接触動作が検知された場合に、文字列の大きさが接触動作の動作距離に応じて変更される。これにより、ユーザは、タッチパネル５に表示された文字列付近から視線をそらすことなく、文字列上で円を描く接触動作を行うだけで、感覚的かつ容易に文字列の大きさを変更することができる。
【００４３】
また、携帯端末１では、文字列の先頭の文字から末尾の文字に向かって変更倍率が文字順に低下するように文字列の大きさを変更する。これにより、ユーザは、文字列を容易に表現力の高い文字列に変更することができる。
【００４４】
また、携帯端末１では、タッチパネル５に表示された文字列上で接触及び非接触の繰り返し動作が検知された場合に、文字列を点滅状態にし、その点滅間隔は繰り返し動作の接触時間及び非接触時間に基づくものである。これにより、ユーザは、タッチパネル５に表示された文字列付近から視線をそらすことなく、文字列上で接触及び非接触の繰り返し動作を行うだけで、感覚的かつ容易に文字列を点滅状態にし、かつその点滅間隔を感覚的かつ容易に設定することができる。
【００４５】
なお、上記実施形態では、接触検知部２によってタッチパネル５に表示された文字列上で予め設定された接触動作が検知された場合に、当該文字列の表現を変更するとしたが、文字列上ではなく、タッチパネル５上の任意の位置での予め設定された接触動作が検知された場合に、当該文字列の表現を変更してもよい。
【００４６】
また、上記実施形態では、表示されている文字列の文字表現を変更したが、現在入力している文字列の文字表現を変更してもよい。
【符号の説明】
【００４７】
１…携帯端末、２…接触検知部、３…表示制御部、３１…表現変更部、４…接触動作格納部、５…タッチパネル。
【図１】
2011209932.tif 000003
【図２】
2011209932.tif 000004
【図３】
2011209932.tif 000005
【図４】
2011209932.tif 000006
【図５】
2011209932.tif 000007
【図６】
2011209932.tif 000008